(57)【要約】本発明は防火戸及び防火戸の枠に関するもので、更に詳しくは、火災の際に内部に水を流して熱気を遮断し、戸の枠と戸との隙間を密閉させて有毒ガスが室内に入ることを防ぐことができる防火戸及び防火戸の枠に関する。本発明による防火戸は、水収容部と、溝と、水膨張体と、吸入口と、供給孔とを含む。上記水収容部は、内部に水を収容することができるように形成される。上記溝は、周縁部面に沿って形成される。上記水膨張体は、水分が吸収されると膨張して戸の枠と戸との間を密封することができるように上記周縁部面に沿って上記溝に挿入される。上記吸入口は、上記水収容部へ水を供給することができるように下部の一側に形成される。上記供給孔は、上記吸入口を通じて上記水収容部に収容された水を上記水膨張体へ供給するため、上記水収容部から上記水膨張体へ貫通されるように上記溝に沿って形成される。本発明による防火戸の枠は、水収容部と、溝と、水膨張体と、吸入口と、複数の供給孔とを含む。上記水収容部は、内部に水を収容することができるように形成される。上記溝は、周縁部面に沿って形成される。上記水膨張体は、水分が吸収されると膨張して戸の枠と戸との間を密封することができるよう上記周縁部面に沿って上記溝に挿入される。上記吸入口は、上記水収容部へ水を供給することができるように下部の一側に形成される。上記供給孔は、上記吸入口を通じて上記水収容部に収容された水を上記水膨張体へ供給するため上記水収容部から上記水膨張体へ貫通されるように上記溝に沿って形成される。
2013525624.tif 000002
【特許請求の範囲】
【請求項１】
内部に水を収容することができるように形成された水収容部と、
周縁部面に沿って形成された溝と、
水分が吸収されると膨張して戸の枠と戸との間を密封することができるよう前記周縁部面に沿って前記溝に挿入された水膨張体と、
前記水収容部へ水を供給することができるように下部の一側に形成された吸入口と、
前記吸入口を通じて前記水収容部に収容された水を前記水膨張体へ供給するため前記水収容部から前記水膨張体へ貫通されるように前記溝に沿って形成された複数の供給孔と、を含むことを特徴とする防火戸。
【請求項２】
下部から上部に前記水収容部に水路がジグザグに形成されるように前記水収容部の両側に結合された複数の隔壁を更に含むことを特徴とする請求項１に記載の防火戸。
【請求項３】
前記水収容部に収容された水が外部へ流れるように、上部に形成された複数の排水口を更に含むことを特徴とする請求項２に記載の防火戸。
【請求項４】
火災を感知して前記吸入口を通じて前記水収容部に水を供給する水供給手段を更に含むことを特徴とする請求項３に記載の防火戸。
【請求項５】
内部に水を収容することができるように形成された水収容部と、
周縁部面に沿って形成された溝と、
水分が吸収されると、膨張して戸の枠と戸との間を密封することができるよう前記周縁部面に沿って前記溝に挿入された水膨張体と、
前記水収容部へ水を供給することができるように下部の一側に形成された吸入口と、
前記吸入口を通じて前記水収容部に収容された水を前記水膨張体へ供給するため、前記水収容部から前記水膨張体へ貫通されるように前記溝に沿って形成された複数の供給孔と、を含むことを特徴とする防火戸の枠。
【請求項６】
前記溝は、前記戸に接触する周縁部面に沿って形成されることを特徴とする請求項５に記載の防火戸の枠。
【請求項７】
前記水収容部に収容された水が外部へ流れるように上部に形成された複数の排水口を更に含むことを特徴とする請求項６に記載の防火戸の枠。
【請求項８】
火災を感知して前記吸入口を通じて前記水収容部に水を供給する水供給手段を更に含むことを特徴とする請求項７に記載の防火戸の枠。
【発明の詳細な説明】
【技術分野】
【０００１】
本発明は防火戸及び防火戸の枠に関し、更に詳しくは、火災の際に内部に水を流して熱気を遮断し、戸の枠と戸の間の隙間を密閉して有毒ガスが室内に入ることを防ぐことができる防火戸及び防火戸の枠に関する。
【背景技術】
【０００２】
既存の防火戸及び防火戸の枠について特許文献１に開示されている。図１０は上記特許文献１に開示された従来の防火戸及び防火戸の枠である。従来の場合、火災の際に自動で上部給水ニップルへと水が供給されて戸の枠３に水が満たされる。戸の枠に水が満たされた場合、戸の枠の水孔６を通して戸４の内部に水が満たされる。戸の枠３及び戸４の内部に満たされた水は、火災が広がることを防ぐ。
【先行技術文献】
【特許文献】
【０００３】
【特許文献１】韓国公開実用新案第２０−２００９−０００３２１３号
【発明の概要】
【発明が解決しようとする課題】
【０００４】
特許文献１に開示された従来の防火戸及び防火戸の枠は、内部に水が満たされた後に水を供給するため、火炎と熱気を遮断することができる。しかし、火災の際に致命的な人命被害は、火炎による直接的な被害よりは火災から発生した有毒ガスによる被害の方が多い。即ち、火炎と熱気を遮断することだけではなく、有毒ガスを遮断することも非常に重要である。上記の従来の防火戸及び防火戸の枠は、火災で発生した有毒ガスを遮断することができないという問題がある。
【０００５】
また、上記の従来の防火戸は、火災の際に内部に水を満たす。防火戸の内部で水が循環せずに停止状態で満たされている。この場合、火炎の度合が強い場合、火炎と熱気をきちんと遮断できなくなるという問題がある。
【０００６】
本発明は、上記の問題を解決するためのものである。本発明は、火災が発生したとき、戸の枠と戸との間を完全に密閉して火災で発生した有毒ガスが室内に入ることを遮断することができる防火戸及び防火戸の枠を提供することを目的とする。
【０００７】
また、本発明は、戸の枠の内部に水を満たした後、外部へ直接水を噴出することで、熱気を遮断するだけではなく、消火の機能もできる防火戸の枠を提供することを目的とする。
【課題を解決するための手段】
【０００８】
本発明による防火戸は、水収容部と、溝と、水膨張体と、吸入口と、供給孔とを含む。上記水収容部は、内部に水を収容することができるように形成される。上記溝は、周縁部面に沿って形成される。上記水膨張体は、水分が吸収されると膨張して戸の枠と戸との間を密封することができるよう上記周縁部面に沿って上記溝に挿入される。上記吸入口は、上記水収容部へ水を供給することができるように下部の一側に形成される。上記供給孔は、上記吸入口を通じて上記水収容部に収容された水を上記水膨張体へ供給するため、上記水収容部から上記水膨張体へ貫通されるように上記溝に沿って形成される。
【０００９】
また、上記の防火戸において、下部から上部へと上記水収容部に水路がジグザグに形成されるように、上記水収容部の両側に結合された複数の隔壁を更に含むことが好ましい。
【００１０】
また、上記の防火戸において、上記水収容部に収容された水が外部へ流れるように、上部に形成された複数の排水口を更に含むことが好ましい。
【００１１】
また、上記の防火戸において、火災を感知して上記吸入口を通じて上記水収容部に水を供給する水供給手段を更に含むことが好ましい。
【００１２】
本発明による防火戸の枠は、水収容部と、溝と、水膨張体と、吸入口と、複数の供給孔とを含む。上記水収容部は、内部に水を収容することができるように形成される。上記溝は、周縁部面に沿って形成される。上記水膨張体は、水分が吸収されると、膨張して戸の枠と戸との間を密封することができるよう上記周縁部面に沿って上記溝に挿入される。上記吸入口は、上記水収容部へ水を供給することができるように下部の一側に形成される。上記供給孔は、上記吸入口を通じて上記水収容部に収容された水を上記水膨張体へ供給するため上記水収容部から上記水膨張体へ貫通されるように上記溝に沿って形成される。
【００１３】
また、上記の防火戸の枠において、上記溝は、上記戸に接触する周縁部面に沿って形成されることが好ましい。
【００１４】
また、上記の防火戸の枠は、上記水収容部に収容された水が外部へ流れるように、上部に形成された複数の排水口を更に含むことが好ましい。
【００１５】
また、上記の防火戸の枠は、火災を感知して上記吸入口を通じて上記水収容部に水を供給する水供給手段を更に含むことが好ましい。
【図面の簡単な説明】
【００１６】
【図１】図１は、本発明による防火戸の一実施例の斜視図である。
【図２】図２は、図１に図示された実施例の正断面図である。
【図３】図３は、図１に図示された実施例の側断面図である。
【図４】図４は、図１に図示された実施例の第１作動例である。
【図５】図５は、図１に図示された実施例の第２作動例である。
【図６】図６は、本発明による防火戸の枠の一実施例の正面図である。
【図７】図７は、図６に図示された実施例の側断面図である。
【図８】図８は、図６に図示された実施例の作動例である。
【図９】図９は、図７に図示された動作例の側断面図である。
【図１０】図１０は、従来の防火戸と防火戸の枠である。
【発明を実施するための形態】
【００１７】
本発明による防火戸と防火戸の枠は、共に使われるか、または別々に使われることができる。即ち、実施例によって、防火戸と防火戸の枠が一緒に使われたり、一般の戸の枠に本実施例の防火戸が使われたり、或いは一般の戸に本実施例の防火戸の枠が使われたりすることができる。従って、以下では、防火戸と防火戸の枠をそれぞれ説明する。
【００１８】
まず、本発明による防火戸の一実施例を説明する。図１は、本発明による防火戸の一実施例の斜視図で、図２は、図１に図示された実施例の正断面図であり、図３は、図１に図示された実施例の側断面図である。図４は、図１に図示された実施例の第１作動例で、図５は、図１に図示された実施例の第２作動例である。図１乃至図５を参照して本発明による防火戸の一実施例を説明する。
【００１９】
本発明による防火戸の一実施例は、水収容部１１と、溝１３と、水膨張体１５と、吸入口１７と、複数の供給孔１９と、複数の隔壁２１と、複数の排水口２３と、水供給手段（未図示）と、を含む。
【００２０】
水収容部１１は、防火戸１０の内部に水を収容することができるように形成される。すなわち、防火戸１０は内部に水を入れることができるように水収容部１１が形成される。
【００２１】
溝１３は、防火戸１０の周縁部面１２に沿って形成される。
【００２２】
水膨張体１５は、水分が吸収されると、膨張して戸の枠１と防火戸１０との間を密封することができるよう、周縁部面１２に沿って溝１３に挿入される。水膨張体１５としては、水膨張ゴムまたは水膨張シリコンなどが使われ得る。
【００２３】
吸入口１７は、水収容部１１へ水を供給することができるように防火戸１０の下部の一側に形成される。水道などから水が供給されて吸入口１７を通じて防火戸１０の内部の水収容部１１へ流入される。
【００２４】
供給孔１９は、吸入口１７を通じて水収容部１１に収容された水を水膨張体１５へ供給するため、水収容部１１から水膨張体１５に貫通されるように溝１３に沿って形成される。
【００２５】
隔壁２１は、水収容部１１内において下部から上部に水路がジグザグに形成されるように、水収容部１１の両側に結合される。すなわち、隔壁２１によって水収容部１１の内部には水路が形成される。吸入口１７から流入された水は、隔壁２１によって形成された水路に沿って下部から上部へ連続して流れる。
【００２６】
排水口２３は、水収容部１１に収容された水が外部へ流れるように防火戸１０の上部に形成される。
【００２７】
水供給手段(未図示)は、火災を感知して上記吸入口１７を通じて水収容部１１に水を供給する。水供給手段は、一般の構成要素であるため、詳しい説明は省略する。
【００２８】
火災が起こっていない平常時の場合は、防火戸１０の内部の水収容部１１には水が収容されない。そのため水膨張体１５は膨張しない。従って、図４に図示されたように、防火戸１０と戸の枠１との間には隙間が形成されている。上記隙間にて空気が流動することができる。
【００２９】
しかし、火災が発生した場合、水供給手段が火災を感知して吸入口１７を通じて水収容部１１へと水を供給する。
【００３０】
吸入口１７へ流入される水は、隔壁２１によって形成された水路を通じて防火戸１０の下部から上部へ流動する。この際、水は流動しながら供給孔１９を通じて水膨張体１５へと一部が流入される。そうすると、水膨張体１５は膨張して防火戸１０と戸の枠１との間の隙間を密封する。水膨張体１５によって隙間が密封されると、火災が発生しても有毒ガスが室内へ流入されることを防ぐことができる。また水は防火戸１０の内部で継続して循環するため、火炎と熱気が室内に伝わることを遮断することができる。水が流入され続き水収容部１１の上部まで到達すると、排水口２３を通じて、図５に図示されたように、水は外部へ流出される。外部へ流出された水は火災によって発生した熱気を抑えたり、火炎を消したりすることができる。
【００３１】
従って、本発明によると、防火戸１０の内部へ水を連続して循環させて火炎及び熱気を抑えたり、鎮火したりするだけではなく、防火戸１０と戸の枠１との間の隙間を密封して有毒ガスが室内へ流入されることを遮断することができる。
【００３２】
次に、本発明による防火戸の枠の一実施例を説明する。図６は、本発明による防火戸の枠の一実施例の正断面図で、図７は、図６に図示された実施例の側断面図である。そして図８は、図６に図示された実施例の作動例で、図９は、図８に図示された作動例の側断面図である。図６乃至図９を参照して本発明による防火戸の枠の一実施例を説明する。
【００３３】
本発明による防火戸の枠３０の一実施例は、水収容部３１と、溝３３と、水膨張体３５と、吸入口３７と、複数の供給孔３９と、複数の排水口４３と、水供給手段（未図示）と、を含む。
【００３４】
水収容部３１は、防火戸の枠３０の内部に水を収容することができるように形成される。すなわち、防火戸の枠３０は内部に水を入れることができるように水収容部３１が形成される。
【００３５】
溝３３は、防火戸の枠３０の周縁部面３２に沿って形成される。この際、溝３３は戸９を閉めたとき戸９と接触する周縁部面３２に形成される。
【００３６】
水膨張体３５は、水分が吸収されると、膨張して戸９と防火戸の枠３０との間を密封することができるよう周縁部面３２に沿って溝３３に挿入される。すなわち、水膨張体３５は、水が吸収されると膨張する性質があり、水膨張体３５としては、水膨張ゴムまたは水膨張シリコンなどが使われ得る。
【００３７】
吸入口３７は、水収容部３１へ水を供給することができるように防火戸の枠３０の下部の一側に形成される。水道などから水が供給されて吸入口３７を通じて防火戸の枠３０の内部の水収容部３１へ流入される。吸入口３７が防火戸の枠３０の下部に位置するため、水収容部３１に流入される水の水位は下から徐々に高くなる。
【００３８】
供給孔３９は、吸入口３７を通じて水収容部３１に収容された水を水膨張体３５へ供給するため、水収容部３１から水膨張体３５に貫通されるように溝３３に沿って形成される。即ち、水収容部３１に流入された水は、供給孔３９を通して水膨張体３５へ吸収される。そうすると、水膨張体３５は膨張して防火戸の枠３０と戸９との間の隙間を密封する。
【００３９】
排水口４３は、水収容部３１に収容された水が外部へ流れるように防火戸の枠３０の上部に形成される。即ち、水収容部３１に満たされると、水が外部へ流れて戸を濡らす。戸を濡らした水は火炎などを鎮火することができる。
【００４０】
水供給手段(未図示)は、火災を感知して上記吸入口３７を通じて水収容部３１に水を供給する。水供給手段は、一般の構成要素であるため、詳しい説明は省略する。
【００４１】
火災が起こっていない平常時の場合は、防火戸の枠３０の内部の水収容部３１には水が収容されない。そのため水膨張体３５は膨張しない。この場合、図７に図示されたように、防火戸の枠３０と戸９との間には隙間が形成されている。上記隙間に空気が流動することができる。
【００４２】
しかし、火災が発生した場合、水供給手段が火災を感知して吸入口３７を通じて水収容部３１へと水を供給する。
【００４３】
吸入口３７へ流入される水は防火戸の枠３０の内部に貯蔵される。この際、供給孔３９を通じて水膨張体３５へと一部が流入される。そうすると、水膨張体３５は、図９に図示されたように、膨張して防火戸の枠３０と戸９との間の隙間を密封する。水膨張体３５によって隙間が密封されると、火災が発生しても有毒ガスが室内へ流入されることを防ぐことができる。また、図８に図示されたように、水は排水口４３を通じて外部へ放出されるため、火災と熱気が室内に入ることを抑えるだけでなく、火炎を消すことができる。
【００４４】
従って、本発明によると、防火戸の枠３０と戸９との間を密封して有毒ガスが室内へ流入されることを遮断することができるだけではなく、水を外部へ放出して火炎や熱気を抑えたり、鎮火したりすることができる。
【産業上の利用可能性】
【００４５】
本発明によると、周縁部面に沿って挿入された水膨張体を備えた防火戸と防火戸の枠を提供することにより、火災が発生したとき、水膨張体が膨張して戸と戸の枠との間の隙間を密閉することができる。従って、戸の隙間から有毒ガスが室内へ流入することを遮断することができる。
【００４６】
また、本発明によると、隔壁によって下部から上部に形成された水路を備えた防火戸を提供することにより、火災が発生したとき、水が防火戸の内部の下部から上部へ流動することができる。そのため、火炎と熱気を効果的に遮断することができる。
【００４７】
また、本発明によると、上部に形成された排水口を備えた防火戸の枠を提供することにより、火災が発生したとき、水が排水口を通して外部へ噴出することができる。外部へ噴出された水は、火炎と熱気を遮断するだけではなく、火炎を鎮火する役割も果たすことができる。
【図１】
2013525624.tif 000003
【図２】
2013525624.tif 000004
【図３】
2013525624.tif 000005
【図４】
2013525624.tif 000006
【図５】
2013525624.tif 000007
【図６】
2013525624.tif 000008
【図７】
2013525624.tif 000009
【図８】
2013525624.tif 000010
【図９】
2013525624.tif 000011
【図１０】
2013525624.tif 000012
【国際調査報告】
2013525624.tif 000013
2013525624.tif 000014
2013525624.tif 000015
2013525624.tif 000016